(57)【要約】【課題】  非ネットワーク環境下で、現在地から所定距離内の情報を表示する。【解決手段】  接続された機器５０にて情報源として指定されることでディスプレイ５１に情報を表示する装置。位置に関連付けられる情報を当該位置を特定する緯度経度データに対応付けて位置毎に持つデータベース１１、現在地の緯度経度データを取得する取得手段、取得した緯度経度データが指す位置から所定距離内の位置の各レコードをデータベース１１から抽出する手段、情報源として指定されたとき機器５０に所定の情報を表示させるとともに、抽出したレコードが持つ情報を表示させる手段を有する。【選択図】図１
2013218538.tif 000002
【特許請求の範囲】
【請求項１】
接続された機器に於いて情報源として指定されることにより該機器のディスプレイに情報を表示する情報表示装置であって、
地理上の位置に関連付けられる情報を、当該位置を特定する緯度経度データに対応付けて、位置毎に持つデータベースと、
注目地の緯度経度データを取得する取得手段と、
前記取得した緯度経度データが指す位置から所定距離内の位置を指す緯度経度データに対応付けられている各レコードを、前記データベースから抽出する抽出手段と、
情報源として指定されたとき前記機器に所定の情報を表示させるとともに、前記抽出したレコードが持つ情報を所定の態様又は前記機器からの入力により指定された態様で表示させる制御手段と、
を有することを特徴とする情報表示装置。
【請求項２】
請求項１に於いて、
前記取得手段は、注目地の緯度経度データとして、接続された機器がＧＰＳ衛星からの信号に基づいて生成した現在地の緯度経度データを取得する、
ことを特徴とする情報表示装置。
【請求項３】
請求項１又は請求項２に於いて、
前記データベースは、項目値としての各テキストデータを所定の区切りデータで区切った構成を成す、
ことを特徴とする情報表示装置。
【請求項４】
請求項１〜請求項３の何れかに於いて、
前記データベースは、地理上の位置に関連付けられる各情報を、それぞれのカテゴリーに対応付けて持ち、
前記制御手段は、さらに、カテゴリーを指定するための入力部を表示させ、
前記抽出手段は、前記抽出したレコードの中で、前記入力部からの入力により指定されたカテゴリーに対応付けられている各レコードを更に抽出する、
ことを特徴とする情報表示装置。
【請求項５】
請求項１〜請求項４の何れかに於いて、
前記データベースは、地理上の位置に関連付けられる情報又は該情報の構成要素として文字列データを持ち、
前記制御手段は、さらに、キーワードを入力するための入力欄を表示させ、
前記抽出手段は、前記抽出したレコードの中で、前記入力欄から入力されたキーワードに関連付けられる文字列データに対応付けられている各レコードを更に抽出する、
ことを特徴とする情報表示装置。
【請求項６】
請求項１〜請求項５の何れかに於いて、
地理上の位置に関連付けられる情報は顧客情報である、
ことを特徴とする情報表示装置。
【請求項７】
請求項１〜請求項５の何れかに於いて、
地理上の位置に関連付けられる情報は設備情報である、
ことを特徴とする情報表示装置。
【請求項８】
請求項１〜請求項５の何れかに於いて、
地理上の位置に関連付けられる情報は観光情報である、
ことを特徴とする情報表示装置。
【請求項９】
請求項１〜請求項５の何れかに於いて、
地理上の位置に関連付けられる情報は注意喚起情報である、
ことを特徴とする情報表示装置。
【請求項１０】
コンピュータ機能を有する装置を、請求項１〜請求項９の何れかの情報表示装置として機能させるためのプログラム。
【請求項１１】
請求項１０に於いて、
前記プログラムはウェブアプリケーションである、
ことを特徴とするプログラム。
【発明の詳細な説明】
【技術分野】
【０００１】
本発明は、接続された機器（スマートフォン、携帯電話機、タブレット等）に於いて情報源（ＵＲＬ）として指定されることにより、該機器のディスプレイに情報を表示する情報表示装置に関する。情報としては、顧客情報、設備情報、観光情報、或いは、注意喚起情報等、各種の情報を例示できる。また、本発明は、コンピュータ機能を備えた装置を上記の情報表示装置として機能させるためのプログラムに関する。
【背景技術】
【０００２】
ネットワーク社会の進展に伴い、各種の有用な情報を、モバイル機器（携帯電話、スマートフォン、タブレット等）を用いて、出先で取り込むことが可能となっている。
ネットワーク環境からの情報の取り込みには後述の問題が存するが、それらの問題を解決するべく、非ネットワーク環境に於いて最適なサービスを提供可能にすることは、未だ試みられていない。当然ながら、その場合に生じ得る問題点の検討や、その問題点を解決する手法も、提供されていない。
なお、特開２００４−３３３４２１号公報（特許文献１）には、ＧＰＳや位置情報サービスにより、現在地から目的地までの距離と方角のみを携帯端末やＰＤＡに表示することについて記載があるが、詳細については全く記載されていない。
【先行技術文献】
【特許文献】
【０００３】
【特許文献１】特開２００４−３３３４２１号公報
【発明の概要】
【発明が解決しようとする課題】
【０００４】
ネットワーク環境からの情報の取り込みには、以下の問題が存する。
（１）ネットワークへの依存
災害等でネットワークが寸断された場合には、当然ながら、情報を取り込むことができない。しかるに、災害等の場合には、ガス管や水道管等の復旧のために、作業者が、その詳細（正確な配管位置、設置年月日、仕様等）を、現地で知りたいという要請が強い。同様に、崩壊した建物内の捜索のため、当該建物の詳細な図面を欲しい場合もある。
しかし、寸断されたネットワーク環境では、これらの要請に応えることができない。
（２）操作の煩雑さ等
取り込むべきデータの種別が多い場合には、操作が煩雑となる。また、データ量が動画やＣＡＤデータ等のように過大な場合には、表示までに長時間を要するばかりでなく、通信コストも高額となる。
例えば、旅先に於いて、その地域の文化財を尋ねたり、博物館や美術館を訪れたりする場合、現在地からの距離や方角、最寄りの停留所もしくは駅、文化財や展示物等の写真等を調べて、何処を訪れるかを選択したい場合がある。その場合、それらの全てをネットワークから取り込もうとすると、操作が煩雑となる。また、多種多様な情報を別々に取り込まざるを得ないため、結果を一覧表示できず、分かり難い。さらに、文化財や展示物等の写真や案内動画等を取り込もうとすると、ダウンロードに長時間を要し、通信コストも高額となる。
（３）営業予定先情報等
営業予定先の情報や顧客情報等をネットから取り込もうとすると、アクセス可能な情報と不可能な情報が混在していて、操作が煩雑となる。また、現在地から近い客先のみを抽出することが困難なため、取り込めたとしても、予定している営業の順番や事前のアポイントに適したデータではない。さらに、情報の項目も、営業に必要な項目と不要な項目とが種々バラバラに混在しているため、使い難い。つまり、必要な情報のみを適時に一覧できないという問題がある。
このように、ネットワーク環境から情報を取り込む場合には、営業予定（順番やアポイント等）に適した、整理された顧客情報を、営業予定先の近くに於いて、速やかに知りたいという要請に応えることができない。
（４）圏外（山歩き等）
山歩き等では、圏外になることが多いのであるが、山歩き等であるからこそ、現在地に関連付けられた種々の情報（危険個所、最寄りの休憩所等までの距離や方角等）を、速やかに得ることが、強く望まれる。
しかしながら、ネットワーク環境では、この要請に応えることができない。
【０００５】
本発明は、上述の（１）〜（４）に例示した問題点を解決することを目的とする。
【課題を解決するための手段】
【０００６】
本発明の構成を、下記［１］〜［１０］に記す。なお、この項（［課題を解決するための手段］）と次項（［発明の効果］）に於いて、符号や括弧書きで示すステップ番号は理解を容易にするために付したものであり、本発明を符号やステップ番号の構成に限定する趣旨ではない。
【０００７】
［１］構成１
接続された機器５０に於いて情報源として指定される（Ｓ１１でＹＥＳ）ことにより該機器５０のディスプレイ５１に情報を表示する情報表示装置であって、
地理上の位置に関連付けられる情報を、当該位置を特定する緯度経度データに対応付けて、位置毎に持つデータベース１１と、
注目地の緯度経度データを取得する（Ｓ２２）取得手段と、
前記取得した緯度経度データが指す位置から所定距離内の位置を指す緯度経度データに対応付けられている各レコードを、前記データベース１１から抽出する（Ｓ２９）抽出手段と、
情報源として指定されたとき前記機器５０に所定の情報を表示させる（Ｓ１５）とともに、前記抽出したレコードが持つ情報を所定の態様又は前記機器５０からの入力により指定された態様で表示させる（Ｓ２９）制御手段と、
を有することを特徴とする情報表示装置。
［２］構成２
構成１に於いて、
前記取得手段は、注目地の緯度経度データとして、接続された機器５０がＧＰＳ衛星からの信号に基づいて生成した現在地の緯度経度データを取得する（Ｓ２２）、
ことを特徴とする情報表示装置。
［３］構成３
構成１又は２に於いて、
前記データベースは、項目値としての各テキストデータを所定の区切りデータで区切った構成を成す、
ことを特徴とする情報表示装置。
例えば、所定の区切りデータとしてカンマを用いるＣＳＶ形式のデータベースや，タブを用いるＴＳＶ形式のデータベース等を例示できる。
［４］構成４
構成１〜３の何れかに於いて、
前記データベース１１は、地理上の位置に関連付けられる各情報を、それぞれのカテゴリーに対応付けて持ち、
前記制御手段は、さらに、カテゴリーを指定するための入力部を表示させ、
前記抽出手段は、前記抽出したレコードの中で、前記入力部からの入力により指定されたカテゴリーに対応付けられている各レコードを更に抽出する、
ことを特徴とする情報表示装置。
［５］構成５
構成１〜４の何れかに於いて、
前記データベース１１は、地理上の位置に関連付けられる情報又は該情報の構成要素として文字列データを持ち、
前記制御手段は、さらに、キーワードを入力するための入力欄を表示させ、
前記抽出手段は、前記抽出したレコードの中で、前記入力欄から入力されたキーワードに関連付けられる文字列データに対応付けられている各レコードを更に抽出する、
ことを特徴とする情報表示装置。
【０００８】
［６］構成６
構成１〜５の何れかに於いて、
地理上の位置に関連付けられる情報は顧客情報である、
ことを特徴とする情報表示装置。
顧客情報としては、例えば、住所、電話番号、顧客サイトへのリンク、顧客会社に関する各種の情報やリンク等を、例示できる。
［７］構成７
構成１〜５の何れかに於いて、
地理上の位置に関連付けられる情報は設備情報である、
ことを特徴とする情報表示装置。
設備情報としては、例えば、設備区分、名称、規格、メーカー、点検履歴、位置図、施工図、施工日時、施工会社名を例示できる。また、設計図に限らず、写真等でもよい。
［８］構成８
構成１〜５の何れかに於いて、
地理上の位置に関連付けられる情報は観光情報である、
ことを特徴とする情報表示装置。
観光情報としては、例えば、各種施設や店舗の詳細や定休日、或いは、文化財や見どころの写真や案内動画や説明等を例示できる。
［９］構成９
構成１〜５の何れかに於いて、
地理上の位置に関連付けられる情報は注意喚起情報である、
ことを特徴とする情報表示装置。
注意喚起情報としては、例えば、犯罪、事故等の発生箇所、鳥獣害被害箇所、津波予測情報等の危険回避情報もしくは注意喚起情報を例示できる。また、山道もしくは登山道であれば、落石等の危険箇所、熊等の危険動物の出没地域、或いは休憩所等の安心・安全情報を例示できる。
【０００９】
［１０］構成１０
コンピュータ機能を有する装置を、構成１〜９の何れかの情報表示装置として機能させるためのプログラム。
［１１］構成１１
構成１０に於いて、
前記プログラムはウェブアプリケーションである、
ことを特徴とするプログラム。
このプログラムを、例えば、ＨＴＭＬ、ＪＡＶＡ（登録商標）スクリプト、ＣＳＳ（Cascading Style Sheets）のみで構成することにより、特定のハードウェアやＯＳに依存しないものとすることもできる。
【発明の効果】
【００１０】
構成１は、接続された機器５０に於いて情報源として指定される（Ｓ１１でＹＥＳ）ことにより該機器５０のディスプレイ５１に情報を表示する情報表示装置であって、地理上の位置に関連付けられる情報を当該位置を特定する緯度経度データに対応付けて位置毎に持つデータベース１１と、注目地の緯度経度データを取得する（Ｓ２２）取得手段と、前記取得した緯度経度データが指す位置から所定距離内の位置を指す緯度経度データに対応付けられている各レコードを前記データベース１１から抽出する（Ｓ２９）抽出手段と、情報源として指定されたとき前記機器５０に所定の情報を表示させる（Ｓ１５）とともに前記抽出したレコードが持つ情報を所定の態様又は前記機器５０からの入力により指定された態様で表示させる（Ｓ２９）制御手段とを有する情報表示装置であるため、機器５０に接続して情報源として指定するだけで、注目地から所定距離内の位置に関連付けられている情報を、所望の表示態様で、機器５０のディスプレイ５１に表示できる。
構成２は、構成１に於いて、前記取得手段は、注目地の緯度経度データとして、接続された機器５０がＧＰＳ衛星からの信号に基づいて生成した現在地の緯度経度データを取得する（Ｓ２２）情報表示装置であるため、現在地から所定距離内の位置に関連付けられている情報を、所望の表示態様で、機器５０のディスプレイ５１に表示できる。
構成３は、構成１又は２に於いて、前記データベースは項目値としての各テキストデータを所定の区切りデータで区切った構成を成す情報表示装置であるため、ユーザ独自のデータベースの作成が相対的に容易である。
構成４は、構成１〜３の何れかに於いて、前記データベース１１は地理上の位置に関連付けられる各情報をそれぞれのカテゴリーに対応付けて持ち、前記制御手段はさらにカテゴリーを指定するための入力部を表示させ、前記抽出手段は前記抽出したレコードの中で前記入力部からの入力により指定されたカテゴリーに対応付けられている各レコードを更に抽出する情報表示装置であるため、注目地（又は現在地）から所定距離内の位置に関連付けられている所望のカテゴリーの情報を、所望の表示態様で、機器５０のディスプレイ５１に表示できる。
構成５は、構成１〜４の何れかに於いて、前記データベース１１は地理上の位置に関連付けられる情報又は該情報の構成要素として文字列データを持ち、前記制御手段はさらにキーワードを入力するための入力欄を表示させ、前記抽出手段は前記抽出したレコードの中で前記入力欄から入力されたキーワードに関連付けられる文字列データに対応付けられている各レコードを更に抽出する情報表示装置であるため、注目地（又は現在地）から所定距離内の位置に関連付けられている（所望のカテゴリーの）情報の中で所望のキーワードに関連する情報を、所望の表示態様で、機器５０のディスプレイ５１に表示できる。
【００１１】
構成６は、構成１〜５の何れかに於いて、地理上の位置に関連付けられる情報は顧客情報である情報表示装置であるため、注目地（又は現在地）から所定距離内の位置に関連付けられている（所望のカテゴリーの（所望のキーワードに関連する））顧客情報を、所望の表示態様で、機器５０のディスプレイ５１に表示できる。
構成７は、構成１〜５の何れかに於いて、地理上の位置に関連付けられる情報は設備情報である情報表示装置であるため、注目地（又は現在地）から所定距離内の位置に関連付けられている（所望のカテゴリーの（所望のキーワードに関連する））設備情報を、所望の表示態様で、機器５０のディスプレイ５１に表示できる。
構成８は、構成１〜５の何れかに於いて、地理上の位置に関連付けられる情報は観光情報である情報表示装置であるため、注目地（又は現在地）から所定距離内の位置に関連付けられている（所望のカテゴリーの（所望のキーワードに関連する））観光情報を、所望の表示態様で、機器５０のディスプレイ５１に表示できる。
構成９は、構成１〜５の何れかに於いて、地理上の位置に関連付けられる情報は注意喚起情報である情報表示装置であるため、注目地（又は現在地）から所定距離内の位置に関連付けられている（所望のカテゴリーの（所望のキーワードに関連する））注意喚起情報を、所望の表示態様で、機器５０のディスプレイ５１に表示できる。
【００１２】
構成１０は、コンピュータ機能を有する装置を構成１〜９の何れかの情報表示装置として機能させるためのプログラムであるため、そのような機能を実現するプログラムを提供できる効果がある。
構成１１は、構成１０に於けるプログラムがウェブアプリケーションであるため、構成１〜９の何れかの情報表示装置としての機能を実現する、より具体的なプログラムを提供できる効果がある。
【図面の簡単な説明】
【００１３】
【図１】実施の形態のシステム構成を示し、（ａ）はスマートフォン５０にＳＤカード１０を装着する様子を示す模式図、（ｂ）はスマートフォン５０の構成とＳＤカード１０に格納されているデータベース１１等の構成を示すブロック図。
【図２】ＳＤカード１０が装着されたスマートフォン５０で実行される情報表示制御の手順を示すフローチャート。
【図３】ＳＤカード１０が装着されたスマートフォン５０のディスプレイ５１に表示される初期画面（情報表示制御の初期画面）の概要を示す説明図。
【図４】データベース１１の構成例を示す説明図。
【図５】ＳＤカード１０が装着されたスマートフォン５０のディスプレイ５１内に表示される画像を例示する説明図。
【発明を実施するための形態】
【００１４】
図面を参照して、本発明の実施の形態を説明する。
図１に示すように、実施の形態の情報表示装置は、スマートフォン５０に、プログラムやデータベース１１が格納されたＳＤカード１０を装着して成る。換言すれば、スマートフォン５０に於いてブラウザが起動され、該ブラウザに於いてＳＤカード１０が情報源として指定されることにより（＝該ブラウザに於いてＳＤカード１０のＵＲＬが入力されることにより）、実施の形態の情報表示装置が構成される。
【００１５】
ＳＤカード１０にはデータベース１１が格納されている。該データベース１１では、一意のＩＤに、情報（例：顧客情報，設備情報，観光情報，注意喚起情報等）が対応付けられているとともに、その情報のカテゴリー、その情報の全部又は一部を構成する文字列データ、関連する画像ファイル、関連する図面等のファイル、上記情報を詳細に記述する文書ファイル、上記情報に関連するリンク先等が、同様に対応付けられている。なお、関連する画像ファイル、関連する図面等のファイル、上記情報を詳細に記述する文書ファイル、上記情報に関連するリンク先等は、無い場合もある。データベース１１の一例を図４に示す。図４に例示されている項目の中で、タイトル、備考、都道府県名、市区町村名は、キーワード検索可能な文字列データである。
【００１６】
ＳＤカード１０には、また、スマートフォン５０のブラウザに呼び出されて実行されるプログラム（緯度経度データの取得制御、所定距離内で且つ設定された検索条件に合致するレコードの抽出制御、表示制御等のためのプログラム）や、スマートフォン５０のディスプレイ５１に画面を表示する際に用いられるデザインファイルが格納されている。
【００１７】
スマートフォン５０は、ＧＰＳ衛星からの信号を受信するＧＰＳアンテナや、受信した信号を処理して緯度経度データを生成するＧＰＳ信号処理部を備えるとともに、ディスプレイ５１、マイク、スピーカを備える。また、これらが接続されているスマートフォン５０の制御装置は、ＣＰＵ、メモリ、補助記憶装置等を有し、これらにより、スマートフォンとしての通常のコンピュータ機能が実現される。
また、図示していないが、カメラや、その他、通常のスマートフォンが備える部材や機能を備えている。
【００１８】
次に、図２に即して、情報表示制御を説明する。
スマートフォン５０に於いて、ユーザの操作入力に対応してブラウザの起動が指令されると（Ｓ０１でＹＥＳ）、ブラウザソフトが起動される（Ｓ０３）。さらに、ブラウザソフトに於いて当該ＳＤカード１０のＵＲＬが入力されると（Ｓ１１でＹＥＳ）、ＳＤカード１０に格納されているプログラム、データベース、デザインファイルが、スマートフォン５０の制御装置の主記憶部に読み込まれる（Ｓ１３）。ここで、プログラムは、ＨＴＭＬ、ＪＡＶＡ（登録商標）スクリプト、及び、ＣＳＳ（Cascading Style Sheets）のみで構成されているため、特定のハードウェアやＯＳに依存しないものである。
【００１９】
こうして、スマートフォン５０のディスプレイ５１には、図３に例示する初期画面が表示される（Ｓ１５）。この初期画面では、左領域にフォルダーツリー領域、右上部の領域に検索条件を設定するための検索パネル領域、右下部の領域に検索結果を表示するための検索結果表示領域が、それぞれ設定されている。
【００２０】
フォルダーツリーは、通常のフォルダーツリーと同様であり、「＋」印をタッチ操作等することで、その下位のフォルダーが展開される。また、表示されている文字列をタッチ操作することで、該文字列に対応付けて予め設定されている検索条件が設定される。
【００２１】
検索条件は、検索パネル領域にて入力・設定される（Ｓ２３）。
例えば、表示内容部分のチェックボックスをオン／オフすることにより、図５（ａ）に例示したリスト表示の表示項目列の表示／非表示が制御される。即ち、詳細情報のチェックボックスにチェックを入れると、リスト表示に於いて（リンクを除く）全項目列が表示されるが、基本情報のチェックボックスにチェックを入れた場合には、予め決められた所定の項目列のみが表示される。また、リンクのチェックボックスにチェックを入れた場合には、リンク項目列が追加して表示される。
また、キーワード指定部に於いてプルダウンした中からデータソースを指定することにより、読み込む対象のデータベース（ＣＳＶ）が選択される。
【００２２】
スマートフォン５０のＧＰＳ機能が正常に動作しており、且つ、ＧＰＳ連動のチェックボックスがチェックされている場合には（Ｓ２１でＹＥＳ）、ＧＰＳ衛星からの信号に基づくＧＰＳデータが取得されて（Ｓ２２）、検索パネルの緯度欄に緯度データ、経度欄に経度データが、それぞれ設定される（Ｓ２３）。即ち、現在地が設定される。
ＧＰＳ連動のチェックボックスがオフの場合（Ｓ２１でＮＯ）や、スマートフォン５０のＧＰＳ機能が正常に動作していない場合は、緯度欄・経度欄に所望のデータを入力・設定することができる。即ち、所望の地点を「注目地」として設定できる。
【００２３】
注目地（スマートフォン５０のＧＰＳ機能が正常に動作しており、且つ、ＧＰＳ連動のチェックボックスがオンの場合は現在地）から所定距離内の緯度データ・経度データに関連付けられているレコードが、抽出対象とされる（Ｓ２３）。この所定距離は、検索パネルの「（現在地）を中心に」欄に於いてプルダウン表示した中から選択された値が設定される。図３の例では、「５００ｍ」が設定されている。
【００２４】
スマートフォン５０のＧＰＳ機能が正常に動作しており、且つ、ＧＰＳ連動のチェックボックスがチェックされている場合には（Ｓ２１でＹＥＳ）、ユーザの移動に伴ってＧＰＳデータが更新される（Ｓ２２）とともに、抽出対象のレコード、即ち、所定距離内の緯度データ・経度データに関連付けられているレコードも更新される（Ｓ２３）。
また、移動速度を返すべき旨がスマートフォン５０に指示されて、スマートフォン５０による計算結果が速度欄に表示される。なお、高度欄にはＧＰＳデータに基づいてスマートフォン５０により計算された高度が表示され、精度欄にはスマートフォン５０から渡されるＧＰＳデータの精度が表示される。
【００２５】
リセットボタンが操作されると、全ての検索条件がリセットされる（Ｓ２３）。
検索ボタンが操作されると（Ｓ２５でＹＥＳ）、その時点で設定されている検索条件にしたがって検索が実行されて（Ｓ２９）、検索結果が、画面内右下部の検索結果表示領域に表示される（Ｓ２９）。この表示は、検索結果表示領域のラジオボタン（リスト表示とサムネイル表示の選択）の設定状態に従って行われる。なお、検索処理は、検索ボタンが操作されない場合でも（Ｓ２５でＮＯ）、ユーザの移動が検出された場合、即ち、ＧＰＳデータが変化した場合に於いて（Ｓ２６でＹＥＳ）、ＧＰＳ連動のチェックボックスがチェックされている場合（Ｓ２７でＹＥＳ）にも、同様に実行される（Ｓ２９）。
【００２６】
検索結果の表示は、例えば、リスト表示が設定されている場合には、検索されたレコードが、図５（ａ）に例示するようなリスト表示で表示される。また、サムネイル表示が設定されている場合には、検索されたレコードに関連付けられている画像が、ディスプレイ５１のサイズに応じた列数で、サムネイル表示される。
表示された中から任意のレコードが選択されると、該任意のレコードの緯度データ・経度データで指示される位置の方位が計算されて、検索パネルの方位欄に表示される。
リスト表示とサムネイル表示の何れも、当初の表示での並び順は、注目地（スマートフォン５０のＧＰＳ機能が正常に動作しており、且つ、ＧＰＳ連動のチェックボックスがオンの場合は現在地）から近い順とされる。また、リスト表示とサムネイル表示の何れの場合も、画面内に表示できないレコードについては、頁繰りボタン（次頁や前頁、最終頁や先頭頁への改頁を行うためのボタン）操作により表示可能である。
【００２７】
リスト表示では、項目名欄内右部分の昇順／降順ボタンｕｄ（図５（ａ）参照）を操作することにより、当該の項目の昇順／降順で、レコードの表示順が並び替えられる。
また、任意のレコードのＩＤ項目値が表示される項目値欄内右部分のアイコンボタンｉｃ（図５（ｂ）参照）を操作することにより、当該レコードに関連付けられている情報の詳細が、例えば、図５（ｃ）に例示するように表示される。
【００２８】
前述のように、検索パネル内のリンクのチェックボックスがチェックされている場合には、リスト表示に於いてリンクが表示されるのであるが、そのリンクを操作することにより、リンク先のデータが表示される。例えば、リンク先がネットワークを介する場所である場合に於いてネットワーク環境が利用できる場合には、スマートフォン５０のネットワーク機能を用いて当該の場所の情報が表示される。この機能により、例えば、ネットワーク上で提供されている地図を表示できる。また、リンク先がローカルファイル（ＳＤカード１０から読み込まれたファイル；当該のリンク操作に係る緯度データ・経度データのレコードにてリンクされている文書ファイル等）の場合には、当該ファイルの内容が表示される。また、リンク先が電話番号の場合には当該電話番号へ電話すべき旨がスマートフォン５０に指示されて電話機能が起動され、メールアドレスの場合には同様にメール送信のための機能が起動される。
【００２９】
サムネイル表示では、任意のサムネイル画像を選択すると、当該の大サイズ画像がポップアップ表示される。
【００３０】
上記では、スマートフォンに即して説明したが、本発明を実施可能な機器はスマートフォンに限定されず、携帯電話機、タブレット、ノートパソコン等のモバイル機器はもちろん、デスクトップパソコン等でも適用可能である。
また、記録媒体としても、ＳＤカードに限定されず、ＵＳＢメモリや、ＣＤ−Ｒ等の公知の記録媒体を利用可能である。
また、上記ではデータベースの構成には言及していないが、例えば、ＣＳＶ形式やＴＳＶ形式等のように、項目値としての各テキストデータをカンマやタブ等で区切って成る構成を採用することにより、ユーザが独自のデータベースを作成することが相対的に容易となるため、目的に応じた多種多様な用途への展開をユーザの好みで行うことができる。
【００３１】
また、上記では、情報については特定していないが、例えば、顧客情報、設備情報、観光情報、注意喚起情報、警察や消防或いは行政等の職務遂行上で必要とされる情報等、各種の情報について適用可能である。
ここで、顧客情報としては、例えば、住所、電話番号、顧客サイトへのリンク、顧客会社に関する各種の情報やリンク等を、例示できる。
設備情報としては、例えば、設備区分、名称、規格、メーカー、点検履歴、位置図、施工図、施工日時、施工会社名を例示できる。また、設計図に限らず、写真等でもよい。
観光情報としては、例えば、各種施設や店舗の詳細や定休日、或いは、文化財や見どころの写真や説明等を例示できる。
注意喚起情報としては、例えば、犯罪、事故等の発生箇所、鳥獣害被害箇所、津波予測情報等の危険回避情報もしくは注意喚起情報を例示できる。また、山歩き等の場合に必要な落石等の危険個所や熊等の出没し易い地域の情報、或いは山小屋や休憩所等の安心・安全情報でもよい。
警察や消防或いは行政等の職務遂行上で必要な情報としては、犯罪者の居住情報、防犯等カメラの設置情報やその詳細情報、町内会の組織情報等を挙げることができる。
【００３２】
これらの情報の全てをＳＤカード等の記録媒体に格納しておく必要はなく、目的に応じて、適宜の情報を格納してよい。例えば、或る観光地に於いて、当該の観光地用の情報を観光客に提供することが考えられる。また、保守点検等を行う会社や公的機関に於いて対象地の設備情報を記録媒体に持つことも考えられる。
【符号の説明】
【００３３】
１０  情報表示装置
１１  データベース
５０  機器（接続先の機器）
５１  ディスプレイ
ｕｄ  昇順／降順の指示ボタン
ｉｃ  詳細表示の指示アイコンボタン
【図１】
2013218538.tif 000003
【図２】
2013218538.tif 000004
【図３】
2013218538.tif 000005
【図４】
2013218538.tif 000006
【図５】
2013218538.tif 000007